(57)【要約】      （修正有）【課題】ソファー等に腰掛けてディスプレイに写る画像を見る場合や、ディスプレイの前に立った状態でディスプレイに写る画像を見ながら体を動かしてゲームを行う場合等、必要に応じてディスプレイの位置を左右方向へ簡単にずらすことができる収納キャビネットを提供する。【解決手段】テレビジョン放送を見る場合には、薄型ディスプレイＤの前にソファーを置いて、このソファーに腰掛けて画像を見る。またゲーム装置をテレビジョン受像機に接続して体を動かすようなゲームを行う場合には、薄型ディスプレイＤを右方向にスライドさせる。このときディスプレイ保持部６１は手で右方向に押すことでスムースに右方向にスライドして、薄型ディスプレイＤはソファーの正面から右方向にずれたところに位置する。【選択図】図３
0003149130.tif 000002
【実用新案登録請求の範囲】
【請求項１】
収納部を有する本体と、前記本体に備えられ、ディスプレイを保持するディスプレイ保持部とを有する収納キャビネットにおいて、前記ディスプレイ保持部は左右方向へスライド可能であることを特徴とする収納キャビネット。
【請求項２】
請求項１に記載した収納キャビネットにおいて、収納部は前面に開口面を有しており、ディスプレイ保持部は前記開口面より前側に位置していることを特徴とする収納キャビネット。
【請求項３】
請求項１または２に記載した収納キャビネットにおいて、ディスプレイ保持部は収納部の開口面を閉鎖する状態と開放する状態とに動作する扉を兼ねていることを特徴とする収納キャビネット。
【考案の詳細な説明】
【技術分野】
【０００１】
本発明は収納キャビネットに係り、特にテレビジョン受像機等に備えられるディスプレイを保持する収納キャビネットに関するものである。
【背景技術】
【０００２】
リビングルームにテレビジョン受像機を置く場合には、ディスプレイを収納キャビネットに設置する。この種の収納キャビネットとしては特許文献１に示すものがある。
通常収納キャビネットに設置されたディスプレイの前にはソファー等の腰掛けるための家具が置かれている。そして、ソファー等に腰掛けてディスプレイに写る画像を見る。
また、ゲーム装置をテレビジョン受像機に接続してディスプレイに写る画像を見ながらゲームを行う場合があり、このゲームの中には立った状態で体を動かしながら行うものがある。この場合にはソファー等の家具が邪魔になってしまう。
【０００３】
【特許文献１】特開２００７−２１００３号公報
【考案の開示】
【考案が解決しようとする課題】
【０００４】
しかしながら、従来の収納キャビネットはディスプレイの位置を左右方向へずらすことを全く想定しておらず、前述した体を動かすゲームを行う場合には、ソファー等の家具をいちいち動かさなければならないため面倒である。
また、ソファーからずれた所からディスプレイに写る画像を見る場合には、ディスプレイを斜めの位置から見ることになるので画像が見にくくなってしまう。
本考案は、上記従来の問題点に着目して為されたものであり、ソファー等に腰掛けてディスプレイに写る画像を見る場合や、ディスプレイの前に立った状態でディスプレイに写る画像を見ながら体を動かしてゲームを行う場合等、必要に応じてディスプレイの位置を左右方向へ簡単にずらすことができる収納キャビネットを提供することを目的とする。
【課題を解決するための手段】
【０００５】
本考案は上記課題を解決するためになされたものであり、請求項１の考案は、収納部を有する本体と、前記本体に備えられ、ディスプレイを保持するディスプレイ保持部とを有する収納キャビネットにおいて、前記ディスプレイ保持部は左右方向へスライド可能であることを特徴とする収納キャビネットである。
【０００６】
請求項２の考案は、請求項１に記載した収納キャビネットにおいて、収納部は前面に開口面を有しており、ディスプレイ保持部は前記開口面より前側に位置していることを特徴とする収納キャビネットである。
【０００７】
請求項３の考案は、請求項１または２に記載した収納キャビネットにおいて、ディスプレイ保持部は収納部の開口面を閉鎖する状態と開放する状態とに動作する扉を兼ねていることを特徴とする収納キャビネットである。
【考案の効果】
【０００８】
本考案の収納キャビネットによれば、ソファー等に腰掛けてディスプレイに写る画像を見る場合や、ディスプレイの前に立った状態でディスプレイに写る画像を見ながら体を動かしてゲームを行う場合等、必要に応じてディスプレイの位置を左右方向へ簡単にずらすことができる。従って、ソファー等をいちいち動かすことなく、ディスプレイの前を広く空けることが可能である。
【考案を実施するための最良の形態】
【０００９】
本考案の実施の形態に係る収納キャビネット１を図１から図４にしたがって説明する。
符号３は本体を示し、この本体３は天板５、底板７、左右の側板９及び背板（図示せず）によって構成されている。この本体３には前面に開口面１０を有する収納部１１（図４参照）が設けられており、この収納部１１は複数の棚板１３によって区切られている。
天板５の前端部下面には溝１５が形成されている。また底板７の前端部上面には溝１７が形成されており、溝１７は天板５の溝１５に対向している。
【００１０】
符号２１、２５はガイドレールを示し、このガイドレール２１、２５は縦断面がコの字形の本体部２２、２６と、この本体部２２、２６の両側の上端部に一体に形成され水平方向へ延びる平板部２３、２７とによって構成されている。ガイドレール２５の本体部２６の両端にはストッパー２９が設けられている。
ガイドレール２１、２５の本体部２２、２６は溝１５、１７にそれぞれ嵌め込まれており、ガイドレール２５の平板部２７は底板７の上面に接し、またガイドレール２１の平板部２３は天板５の下面に接している。
【００１１】
符号３１は支持枠を示し、この支持枠３１の下端部には４つの凹部３３が互いに間隔をあけて形成されており、この凹部３３は支持枠３１の裏面と下面に開放されている。
符合３５は支持金具を示し、この支持金具３５は横長の略長方形の主部３６と、この主部３６の下端側中央に一体に形成され、下方へ突出する差込部３７とによって構成されている。支持金具３５の主部３６にはローラー４１が回転自在に取付けられている。支持金具３５はその主部３６が凹部３３を塞ぐように２本のネジ３８によって支持枠３１に固定されており、差込部３７は支持枠３１の下端部から突出している。また差込部３７には摩擦係数の小さい樹脂によって形成されたカバー３９が被せられており、このカバー３９が被せられた差込部３７はガイドレール２５の本体部２６に摺動自在に差し込まれている。ローラー４１は凹部３３内に位置しており、このローラー４１の下端面がガイドレール２５の平板部２７の上面に当接している。
【００１２】
符号４３は支持金具を示し、この支持金具４３は縦長の略長方形の主部４４と、この主部４４の上端に一体に形成され、上方へ突出する差込部４５とによって構成されている。また主部４４には上下方向に延びる長穴４７が形成されている。支持金具４３は長穴４７に挿通された２本のネジ３８によって支持枠３１の上端部に固定されており、差込部４５は支持枠３１の上端部から突出している。また差込部４５には摩擦係数の小さい樹脂によって形成されたカバー４９が被せられており、このカバー４９が被せられた差込部４５はガイドレール２１の本体部２２に摺動自在に差し込まれている。
【００１３】
支持枠３１の前面にはディスプレイ保持部６１が取付けられており、このディスプレイ保持部６１は長方形の平板状から成り、本体３の前面と略同じ大きさで開口面１０を完全に覆う大きさに形成されている。前述のように支持枠３１に取付けられた支持金具３５、４３は、ガイドレール２５、２１にそれぞれ摺動自在に支持されているので、ディスプレイ保持部６１は収納部１１の開口面１０の一部を開放する状態と閉鎖する状態とに動作可能となっている。このようにディスプレイ保持部６１は左右方向へ動作でき、しかも開口面１０を完全に覆う大きさに形成されているので、ディスプレイ保持部６１は収納部１１の扉を兼ねている。また、ディスプレイ保持部６１は支持枠３１の前面に取付けられているので、収納部１１の開口面１０より前側に位置している。
【００１４】
テレビジョン受像機の薄型ディスプレイＤは一対の取付金具６５を介してディスプレイ保持部６１に保持されている。またディスプレイ保持部６１には薄型ディスプレイＤの電源コード等を通す開口６３が形成されており、この開口６３は薄型ディスプレイＤの裏側に位置している。
なおこのテレビジョン受像機はコードレスタイプであり、薄型ディスプレイＤとテレビジョン受像機の本体とはコードを介さないで送受信することができるようになっている。
図１に示す収納キャビネット１はユニット家具の一部として配置した例であり、収納キャビネット１の左右には収納庫Ｓが備えられている。
【００１５】
次に収納キャビネット１の使用方法を説明する。
図３に示すようにテレビジョン放送を見る場合には、薄型ディスプレイＤの前にソファーを置いて、このソファーに腰掛けて画像を見る。またゲーム装置をテレビジョン受像機に接続して体を動かすようなゲームを行う場合には、薄型ディスプレイＤを図３に示す状態から右方向にスライドさせる。このときディスプレイ保持部６１は手で右方向に押すことでスムースに右方向にスライドして、薄型ディスプレイＤはソファーの正面から右方向にずれたところに位置する。そして薄型ディスプレイＤの略正面に立って体を動かすゲームを行う。
前述のように差込部３７、４５は摩擦係数の小さい樹脂によって形成されたカバー３９、４９が被せられているので、スムースに且つ安定してディスプレイ保持部６１を左右方向へスライドさせることができる。
このように本願の収納キャビネット１ではテレビジョン放送を見る場合やゲームを行う場合に合わせ、即ち必要に応じて薄型ディスプレイＤの位置を左右方向へ簡単にずらすことができる。
また、ディスプレイ保持部６１は支持枠３１の前面に取付けられているので、収納部１１の開口面１０より前側に位置しているので、ディスプレイを収納部１１に収容した場合と異なり、ディスプレイを斜めの位置から見ても画像が見にくくなるのを防止することができる。
【００１６】
以上、本考案の実施の形態について詳述してきたが、具体的構成は、この実施の形態に限られるものではなく、本考案の要旨を逸脱しない範囲における設計の変更などがあっても考案に含まれる。
上記実施の形態は、テレビジョン受像機に備えられる薄型ディスプレイＤを用いたが、パーソナルコンピュータに備えられる薄型ディスプレイを用いてもよい。
【産業上の利用可能性】
【００１７】
本考案の収納キャビネットは、家具の製造業において利用することが可能である。
【図面の簡単な説明】
【００１８】
【図１】本考案の実施の形態に係る収納キャビネットの斜視図である。
【図２】ディスプレイ保持部がスライド可能である構造を説明するための図である。
【図３】ディスプレイが中央に位置している状態の収納キャビネットの正面図である。
【図４】ディスプレイが右側に位置している状態の収納キャビネットの正面図である。
【符号の説明】
【００１９】
１  …  収納キャビネット          ３  …  本体
５  …  天板                      ７  …  底板
９  …  側板                      １０  …  開口面
１１  …  収納部
１３  …  棚板                    １５、１７  …  溝
２１、２５  …  ガイドレール      ２２、２６  …  本体部
２３、２７  …  平板部            ２９  …  ストッパー
３１  …  支持枠                  ３３  …  凹部
３５  …  支持金具                ３６  …  主部
３７  …  差込部                  ３８  …  ネジ
３９  …  カバー                  ４１  …  ローラー
４３  …  支持金具                ４４  …  主部
４５  …  差込部                  ４７  …  長穴
４９  …  カバー                  ６１  …  ディスプレイ保持部
６３  …  開口                    ６５  …  取付金具
Ｄ  …  薄型ディスプレイ          Ｓ  …  収納庫
【図１】
0003149130.tif 000003
【図２】
0003149130.tif 000004
【図３】
0003149130.tif 000005
【図４】
0003149130.tif 000006